(57)【要約】【課題】  商品の取り出しやすさ、衛生性を維持しつつ、冷却効率の向上、ランニングコストの低減を図ることができるオープンショーケースを提供する。【解決手段】  本発明のオープンショーケース１は、前面に開口する陳列室８内を冷却、又は、加熱して成るものであって、陳列室８の開口を塞ぐかたちで設けられた陳列室カバー３０を備え、該陳列室カバー３０は、複数の硬質カバー部材３１により構成され、当該硬質カバー部材３１は、陳列室８内に陳列された商品を取出可能な商品取出口３５を有し、各商品取出口３５以外の部分は陳列室８内を透視可能な硬質壁により構成される。【選択図】図９
2011189193.tif 000002
【特許請求の範囲】
【請求項１】
前面に開口する陳列室内を冷却、又は、加熱すると共に、前記陳列室の開口にはエアーカーテンを構成して成るオープンショーケースにおいて、
前記陳列室の開口を塞ぐかたちで前記エアーカーテンの外側に沿って設けられた陳列室カバーを備え、
該陳列室カバーは、それぞれ上下方向に延在し、左右に並設された複数の硬質カバー部材から構成され、各硬質カバー部材は、前記陳列室内に陳列された商品を取出可能な商品取出口をそれぞれ有し、各商品取出口以外の部分は前記陳列室内を透視可能な硬質壁とされると共に、前記硬質壁内には、中空の断熱空間が形成され、前記断熱空間内には、照明装置が設けられていることを特徴とするオープンショーケース。
【請求項２】
前面に開口する陳列室内を冷却、又は、加熱して成るオープンショーケースにおいて、
前記陳列室の開口を塞ぐかたちで設けられた陳列室カバーを備え、
該陳列室カバーは、前記陳列室内に陳列された商品を取出可能な複数の商品取出口を有し、各商品取出口以外の部分は前記陳列室内を透視可能な硬質壁とされていると共に、
当該硬質壁内には、中空の断熱空間が形成され、該断熱空間内には、照明装置が設けられていることを特徴とするオープンショーケース。
【発明の詳細な説明】
【技術分野】
【０００１】
本発明は、前面に開口する陳列室内を冷却又は加熱して成るオープンショーケースに関するものである。
【背景技術】
【０００２】
従来より、前面に開口する陳列室内を冷却して成るオープンショーケースは、断面略コ字状の断熱壁とこの断熱壁の両側に取り付けられた側板により本体を構成する。この断熱壁の内側には、仕切板が取り付けられ、この仕切板と断熱壁間にダクトを構成し、仕切板の内側に前面に開口した陳列室を形成する。そして、陳列室の前面開口上縁には、ダクトに連通する冷気吐出口が形成され、開口下縁にはダクトに連通する冷気吸込口が形成される。このダクト内には、冷却器と冷気循環用の送風機が設置され、当該ダクト内にて所定温度に冷却された冷気を冷気吐出口から吐出し、陳列室の前面開口にエアーカーテンを形成しつつ、陳列室内を循環した後、冷気吸込口から吸い込み、再びダクト内に帰還する。係る冷気循環により、陳列室内を所定温度に冷却している（例えば、特許文献１参照。）。
【０００３】
しかし、オープンショーケースは、店舗内に設置されるため、陳列室の前面開口に形成されるエアーカーテンは、人の往来や、店舗内の空調機器による風に影響を受け、乱されることが多い。この外乱の発生により陳列室内の冷気が外部に漏洩しやすくなり、冷却効率が低下し、商品を所定の温度に冷却することができなくなる、若しくは、エネルギー消費量が増加し、ランニングコストが高騰する問題がある。
【０００４】
そこで、当該陳列室の前面開口には、軟質合成樹脂にて構成される透明の暖簾や、開口上縁から引き出し自在に取り付けられるロールカーテン状のナイトカバーなどが取り付け、エアーカーテンの外乱の保護及び冷気漏洩の抑制を行っている。他方、上面に開口する陳列室内を冷却してなる所謂平型のショーケースには、当該上面開口を開閉自在に覆う冷気カバーが設けられたものがある。これによって、陳列室内への外気の流入を防止し、陳列室内の温度が上昇する不都合を抑制している。
【特許文献１】特開２００２−２９５９５８号公報
【発明の開示】
【発明が解決しようとする課題】
【０００５】
しかしながら、上述したような陳列室の前面開口に軟質合成樹脂製の暖簾は、陳列室内の商品を外部から容易に視認しやすくするため、透明に構成されているが、顧客等が陳列室内の商品を取り出す度に当該暖簾に接触するため、次第に透明度が低下し、商品の陳列効果が低下する問題がある。更に、暖簾の透明度が低下し、汚れが付着した場合には、陳列室内に陳列される商品の衛生感が損なわれ、商品陳列としての意義が喪失する問題がある。
【０００６】
また、陳列室の開口に設けられるナイトカバーは、営業時間外に引き出され、陳列室の開口を覆うものであるため、当該ナイトカバーの使用時には、顧客は商品を視認することができず、また、商品を視認する又は取り出すためには、ナイトカバーを収納しなければならない。そのため、営業時間において、ナイトカバーを使用し、冷却効率の向上を図ることは困難である。
【０００７】
更に、上述したように平型のショーケースにおいて用いられる冷気カバーが設けられているものがあるが、この場合、陳列室内を冷却する冷気は、ショーケース内に滞留し、外部とを仕切るエアーカーテンを形成する構成とされていないため、当該エアーカーテンの整流について考慮したものではなかった。
【０００８】
そこで、本発明は従来の技術的課題を解決するためになされたものであり、商品の取り出しやすさ、衛生性を維持しつつ、冷却効率の向上、ランニングコストの低減を図ることができるオープンショーケースを提供する。
【課題を解決するための手段】
【０００９】
請求項１の発明のオープンショーケースは、前面に開口する陳列室内を冷却、又は、加熱すると共に、前記陳列室の開口にはエアーカーテンを構成して成るものであって、前記陳列室の開口を塞ぐかたちで前記エアーカーテンの外側に沿って設けられた陳列室カバーを備え、該陳列室カバーは、それぞれ上下方向に延在し、左右に並設された複数の硬質カバー部材から構成され、各硬質カバー部材は、前記陳列室内に陳列された商品を取出可能な商品取出口をそれぞれ有し、各商品取出口以外の部分は前記陳列室内を透視可能な硬質壁とされると共に、前記硬質壁内には、中空の断熱空間が形成され、前記断熱空間内には、照明装置が設けられていることを特徴とする。
【００１０】
請求項２の発明のオープンショーケースは、前面に開口する陳列室内を冷却、又は、加熱して成るものであって、前記陳列室の開口を塞ぐかたちで設けられた陳列室カバーを備え、該陳列室カバーは、前記陳列室内に陳列された商品を取出可能な複数の商品取出口を有し、各商品取出口以外の部分は前記陳列室内を透視可能な硬質壁とされていると共に、当該硬質壁内には、中空の断熱空間が形成され、該断熱空間内には、照明装置が設けられていることを特徴とする。
【発明の効果】
【００１１】
請求項１の発明のオープンショーケースによれば、前面に開口する陳列室内を冷却、又は、加熱すると共に、前記陳列室の開口にはエアーカーテンを構成して成るものであって、前記陳列室の開口を塞ぐかたちで前記エアーカーテンの外側に沿って設けられた陳列室カバーを備え、該陳列室カバーは、それぞれ上下方向に延在し、左右に並設された複数の硬質カバー部材から構成され、各硬質カバー部材は、前記陳列室内に陳列された商品を取出可能な商品取出口をそれぞれ有し、各商品取出口以外の部分は前記陳列室内を透視可能な硬質壁とされると共に、前記硬質壁内には、中空の断熱空間が形成され、断熱空間内には、照明装置が設けられているので、陳列室内に陳列される商品をほぼ正面から照明することが可能となり、照明効果を向上することができ、商品の陳列効果が向上される。
【００１２】
請求項２の発明のオープンショーケースによれば、前面に開口する陳列室内を冷却、又は、加熱して成るものであって、陳列室の開口を塞ぐかたちで設けられた陳列室カバーを備え、該陳列室カバーは、陳列室内に陳列された商品を取出可能な複数の商品取出口を有し、各商品取出口以外の部分は陳列室内を透視可能な硬質壁とされていると共に、当該硬質壁内には、中空の断熱空間が形成され、該断熱空間内には、照明装置が設けられているので、陳列室カバーを取り付けた状態で陳列室内に陳列される商品を商品取出口から容易に取り出すことができると共に、陳列室内の冷却、又は、加熱された空気の漏洩を抑制することができる。そのため、商品の取り出しやすさを維持しつつ、陳列室内の冷却効率、又は、加熱効率の向上を図ることができ、陳列室内の冷却不足、又は、加熱不足を是正しつつ、省エネ効果を発揮することができ、ランニングコストの低減を図ることができるようになる。また、陳列室カバーは、商品取出口以外の部分は陳列室内を透視可能な硬質壁にて構成されているため、陳列室内を容易に視認することができ、陳列効果を損なう不都合を抑制することができる。商品の取出は、商品取出口から行うことができるため、陳列室カバーに触れることなく、商品を取り出すことができ、衛生性が向上される。また、商品の取出の際に、商品や顧客等の手指が陳列室カバーに接触した場合であっても、軟質性の暖簾に比べて汚れが染み込み透明性が損なわれる不都合を抑制することができる。汚れが付着した場合であっても、容易に汚れを拭き取ることができ、衛生性を向上させることができる。更に、陳列室カバーの硬質壁内には、中空の断熱空間が形成されているので、陳列室内の冷却、又は、加熱効率の向上を図ることができるようになり、ランニングコストの低減を実現することができる。特に、陳列室内を冷却して使用する場合においては、陳列室カバーの硬質壁内に断熱空間を構成することで、結露の発生を防止することができ、当該硬質壁が曇ってしまうことによる陳列効果の低下を回避することができ、商品の視認性を向上することができる。特に、断熱空間内には、照明装置が設けられているので、陳列室内に陳列される商品をほぼ正面から照明することが可能となり、照明効果を向上することができ、商品の陳列効果が向上される。
【発明を実施するための最良の形態】
【００１３】
以下、図面に基づき本発明の実施形態につき、第１の実施例乃至第３の実施例について詳述する。
【実施例１】
【００１４】
第１の実施例のオープンショーケース１について図１乃至図４を参照して説明する。図１はオープンショーケース１の斜視図、図２は図１のオープンショーケース１の正面図、図３は図１のオープンショーケース１の縦断側面図、図４は図１のオープンショーケース１の横断平面図を示している。
【００１５】
本実施例におけるオープンショーケース１は、例えば、スーパーマーケット等において、冷蔵食品、冷凍食品、加温食品等を冷却しながら、又は加温しながら陳列販売するために用いられるものであり、前方に開放した断面略コ字状の断熱壁２と、この断熱壁２の両側に取り付けられた側板３、３により本体４が構成されている。
【００１６】
この断熱壁２の内側には、仕切板６が取り付けられ、この仕切板６と断熱壁２間にダクト７が構成されると共に、この仕切板６の内側に前面に開口した陳列室８が構成されている。９・・・はこの陳列室８内に複数段架設された棚装置であり、１２は前面開口上縁部に取り付けられた照明用の蛍光灯である。当該棚装置９を構成する棚板９Ａには、図３に示されるように電気ヒータ１０が配設されている。係る電気ヒータ１０は、詳細は後述する制御装置１１により、通電制御可能に構成されている。
【００１７】
陳列室８の前面開口上縁にはダクト７に連通する冷気吐出口１３が形成され、開口下縁にはダクト７に連通する冷気吸込口１４が形成されている。そして、このダクト７内には冷却器１７と、冷気循環用の送風機１８が配設されている。尚、本実施例において冷気吐出口１３は、前記蛍光灯１２と、断熱仕切壁１２Ａにて区画されており、当該下端は、冷気吐出口１３の下方にまで臨んで形成されているものとする。
【００１８】
一方、断熱壁２下側の本体４下部には機械室１９が構成されており、この機械室１９内には圧縮機２０、凝縮器２１、機械室１９内を空冷するための送風機２２、蒸発皿２３及び前記制御装置１１が配設されている。圧縮機２０、凝縮器２１、図示しない減圧装置及び前記冷却器１７は周知の冷媒回路を構成する。また、この機械室１９の前面には、複数の空気吸込口２４Ａを形成した前面パネル２４が着脱自在に設けられる。断熱壁２の背面には所定間隔を存して背面パネル２６が設けられ、当該背面パネル２６と断熱壁２の背面との間に上方に開放された排熱ダクト２７が形成され、当該排熱ダクト２７は、機械室１９の後部において連通して構成される。これにより、前面パネル２４を介して機械室１９内に吸い込まれた空気は、機械室１９内を空冷した後、排熱ダクト２７を介して外部に排出される。
【００１９】
一方、陳列室８の前面に構成される前面開口には、開口上縁から開口下縁に渡って陳列室カバー３０が取り付けられる。この陳列室カバー３０は、複数の、本実施例では４つの硬質カバー部材３１から構成される。ここで、陳列室カバー３０及び硬質カバー部材３１について図５乃至図８を参照して説明する。図５は硬質カバー部材３１の斜視図、図６は硬質カバー部材３１の平断面図、図７は陳列室カバー３０が取り付けられた状態のオープンショーケース１の上部拡大図、図８は陳列室カバー３０が取り付けられた状態のオープンショーケース１の下部拡大図を示している。
【００２０】
硬質カバー部材３１は、それぞれ上下方向に延在し、左右に本実施例では４つ並設することで陳列室カバー３０を構成する。当該硬質カバー部材３１は、上下方向に延在して両側部を構成する本体３２、３２と、これら両本体３２、３２の上端を連結する上部構成部材３３と、両本体３２、３２の下端を連結する下部構成部材３４とから構成され、本体３２、３２は、内部を透視可能とする硬質合成樹脂の硬質壁により形成されている。
【００２１】
そして、これら両本体３２、３２の内側端と上部構成部材３３の下端、更には、下部構成部材３４の上端により囲繞される空間には、商品取出口３５が形成される。この商品取出口３５は、当該硬質カバー部材３１がオープンショーケース１の前面開口に設けられた際に、棚装置９に陳列される商品を取出可能とするための開口である。本実施例において、当該商品取出口３５の幅寸法、即ち、両本体３２、３２間の離間距離は、オープンショーケース１に陳列される商品の幅寸法が例えば４０ｍｍ程度である場合には、商品を取り出す手指の幅寸法、例えば２０ｍｍを考慮した６０ｍｍ程度であるものとする。
【００２２】
本体３２、３２は、図６に示すように、それぞれ内方に開口する断面略コ字状を呈すると共に、オープンショーケース１の前面に位置する前壁３２Ａには、中空の断熱空間３２Ｂが上下に渡って形成されている。尚、当該断熱空間３２を構成する前壁３２Ａの商品取出口３５側の端面は、所定の曲率にて形成された湾曲形状とされ、陳列室８内の商品の取出の際に、陳列室カバー３０に手指が接触した場合であっても、怪我を難い構成とされている。
【００２３】
また、本実施例における上部構成部材３３は、金属製材料にて構成されており、両本体３２、３２の側面上側に位置する側壁には、上方に開口する切欠３３Ａが形成されている。当該切欠３３Ａは、図７に示されるように断熱仕切壁１２Ａ下端と係合可能な形状とされているものとする。更に、上部構成部材３３の前壁には、ネジ孔３３Ｂが形成されており、陳列室８側から化粧ネジ３６によって、当該上部構成部材３３を断熱壁２の前壁２Ａに固定可能とされている。
【００２４】
他方、本実施例における下部構成部材３４は、同じく金属製材料にて構成されており、下端は、陳列室８の前面開口下縁に形成される冷気吸込口１４に挿入固定可能な形状に切欠形成されているものとする。
【００２５】
係る構成により、本実施例では、各硬質カバー部材３１の下端を構成する下部構成部材３４を陳列室８の前面開口下縁に形成される冷気吸込口１４に挿入し、硬質カバー部材３１の上端を構成する上部構成部材３３の切欠３３Ａを断熱仕切壁１２Ａ下端に係合させる。その後、商品取出口３５から手指を挿入し、陳列室８側から化粧ネジ３６によって上構成部材３３を断熱壁２の前壁２Ａに固定する。
【００２６】
そして、本実施例では、上下方向に延在して構成される４つの各硬質カバー部材３１を並設することにより、陳列室８の前面開口を閉塞する。尚、各硬質カバー部材３１は、図６に示される如く各本体３２の隅角部にＬ字型金具３７を配置し、隣接する硬質カバー部材３１に取り付けられるＬ字形金具３７と共締めすることによって、各硬質カバー部材３１を連結し、各硬質カバー部材３１を安定して陳列室８の前面開口に固定するものとする。
【００２７】
係る構成により、当該オープンショーケース１内を冷蔵温度にて使用する場合には、制御装置１１は、冷却運転の指示に基づき圧縮機２０、各送風機１８、２２を運転する。これにより、圧縮機２０から吐出された高温冷媒は、凝縮器２１に流入し、そこで送風機２２の運転により吸い込まれる外気によって空冷される。この凝縮器２１内で放熱して凝縮した冷媒は前記減圧装置にて減圧された後、冷却器１７に流入して蒸発する。このときに周囲から潜熱を奪って冷却作用を発揮する。
【００２８】
この冷却器１７と熱交換して冷却された冷気は送風機１８が運転されていることにより、ダクト７内を吹き上げられ、冷気吐出口１３から陳列室８の開口下縁の冷気吸込口１３に向けて吐出される。これにより、陳列室８の開口には冷気によるエアーカーテンが形成されると共に、冷気の一部は陳列室８内を循環して当該陳列室内を所定の温度に冷却する。
【００２９】
このとき、冷気吐出口１３から吹き出されるエアーカーテンの外側に沿って陳列室カバー３０が設けられているため、陳列室カバー３０により、人の往来や店舗内の空調機器からの風による外乱によってエアーカーテンが乱され、冷却効率が低下する不都合を抑制することができる。
【００３０】
また、エアーカーテンは、陳列室カバー３０、即ち、陳列室８の開口上縁から下縁に渡って設けられる上下に延在する各硬質カバー部材３１の後面に沿って流下するため、エアーカーテンを上端から下端に渡って保護することが可能となり、エアーカーテンの整流効果を向上することができ、これによっても、陳列室８内の冷却効率の向上を図ることができる。
【００３１】
また、陳列室カバー３０には、商品取出口３５が設けられているため、エアーカーテンを保護する陳列室カバー３０が取り付けられた状態で、陳列室８内の棚装置９に陳列される商品を容易に取り出すことができると共に、従来のオープンショーケースに比して陳列室８内の冷気の漏洩及び外気の流入を抑制することができるようになる。
【００３２】
そのため、商品の取り出しやすさを維持しつつ、陳列室８内の冷却効率の向上を図ることができ、陳列室８内の冷却不足を是正しつつ、省エネ効果を発揮することができ、ランニングコストの低減を図ることができるようになる。
【００３３】
また、陳列室カバー３０は、商品取出口３５以外の部分は陳列室８内を透視可能な硬質壁とされる本体３２、３２にて構成されているため、陳列室８内を容易に視認することができ、陳列効果を損なう不都合を抑制することができる。商品の取出は、商品取出口３５から行うことができるため、陳列室カバー３０に触れることなく、商品を取り出すことができ、衛生性が向上される。また、商品の取出の際に、商品や顧客等の手指が陳列室カバー３０に接触した場合であっても、従来の軟質性の暖簾に比べて汚れが染み込み透明性が損なわれる不都合を抑制することができる。汚れが付着した場合であっても、容易に汚れを拭き取ることができ、衛生性を向上させることができる。
【００３４】
更に、本実施例における陳列室カバー３０は、上下方向に延在し、左右に併設された複数（４つ）の硬質カバー部材３１から構成されるため、硬質カバー部材の使用数を変更することで、陳列室８の開口幅の異なるショーケースに対応することができるようになり、汎用性が向上する。そのため、部品コストの低減を図ることができ、生産コストの高騰を抑制することができる。
【００３５】
また、陳列室カバー３０を構成する各硬質カバー部材３１の前面には、中空の断熱空間３２Ｂが形成されているので、陳列室８内の冷却効率の向上を図ることができるようになり、ランニングコストの低減を実現することができる。特に、本実施例にように陳列室８内を冷却して使用する場合においては、陳列室カバー３０の本体３２内に断熱空間３２Ｂを構成することで、結露の発生を防止することができ、本体３２が曇ってしまうことによる陳列効果の低下を回避することができ、商品の視認性を向上することができる。
【００３６】
他方、当該オープンショーケース１内を温蔵温度にて使用する場合には、制御装置１１は、加温運転の指示に基づき各棚装置９に設けられる電気ヒータ１０を通電する。これにより、各棚板９Ａ及び当該棚板９Ａ上方が加熱され、陳列室８内が所定温度に加温される。
【００３７】
係る場合においても、陳列室カバー３０には、商品取出口３５が設けられているため、陳列室カバー３０が取り付けられた状態で、陳列室８内の棚装置９に陳列される商品を容易に取り出すことができると共に、従来のオープンショーケースに比して陳列室８内の温められた空気の漏洩及び外気の流入を抑制することができるようになる。
【００３８】
そのため、商品の取り出しやすさを維持しつつ、陳列室８内の加温効率の向上を図ることができ、陳列室８内の加温不足を是正しつつ、省エネ効果を発揮することができ、ランニングコストの低減を図ることができるようになる。
【００３９】
また、上述した如き陳列室カバー３０を構成する硬質カバー部材３１の断熱空間３２Ｂ内に、図９に示す如く陳列室８内に照明用の光を照射するＬＥＤや蛍光灯からなる照明装置３９を上下に延在して配設しても良いものとする。これにより、陳列室８内に陳列される商品をほぼ正面から照明することが可能となり、照明効果を向上することで、商品の陳列効果を向上することができる。
【００４０】
また、当該陳列室カバー３０は、陳列室８の開口に対し、脱着自在に取り付けられるものであるため、必要に応じて陳列室カバー３０を陳列室８の開口に取り付けることができ、また、既存のオープンショーケースであっても取り付けることが可能である。
【００４１】
尚、本実施例では、陳列室カバー３０を構成する硬質カバー部材３１は、陳列室８の前面開口に対し、嵌め込み式で固定されるものであるが、これ以外にも、陳列室８内に設けられる棚装置９が商品の補充作業を容易とするため、前方に引き出し可能に設けられる場合には、当該陳列室カバー３０を開放可能に構成しても良いものとする。即ち、図１０に示す如く、前記硬質カバー部材３１を２つ一組に固定し、陳列室８の開口側端に位置する硬質カバー部材３１の側端部に枢支部材３８、３８を設け、当該陳列室８の開口側端に対し、回動自在に取り付けるものとする。また、当該陳列室カバー３０の開閉を容易に行うため、陳列室カバー３０の下部構成部材３４の下端は、陳列室８の前面開口下縁よりも上方に位置して設けられるものとする。
【００４２】
これにより、陳列室８の開口に対し、陳列室カバー３０を観音開き式に設けることが可能となり、当該陳列室カバー３０を開放することで、陳列室８内の棚装置９を前方に引き出すことが可能となる。そのため、当該陳列室カバー３０を設けた場合であっても、容易に棚装置９を引き出して、棚上の商品の補充作業を行うことが可能となる。
【実施例２】
【００４３】
次に、図１１乃至図１７を参照して、陳列室カバー４１を備えた第２の実施例のオープンショーケース４０について説明する。図１１はオープンショーケース４０の斜視図、図１２は図１２のオープンショーケース４０の正面図、図１３は図１１のオープンショーケース４０の横断平面図、図１４は硬質カバー部材４２の斜視図、図１５は硬質カバー部材４２の平断面図、図１６は陳列室カバー４１が取り付けられた状態のオープンショーケース４０の上部拡大図、図１７は陳列室カバー４１が取り付けられた状態のオープンショーケース４０の下部拡大図を示している。尚、各図において、上記第１の実施例と同様の符号が付されているものについては、上記実施例におけるものと同様の効果を奏するものとする。また、当該第２の実施例におけるオープンショーケース４０は、陳列室カバー４１以外の構成については、略同様の構成とするため、説明を省略する。
【００４４】
当該実施例における陳列室８の前面に構成される前面開口には、開口上縁から開口下縁に渡って陳列室カバー４１が取り付けられる。この陳列室カバー４１は、複数、かかる実施例では４つの硬質カバー部材４２から構成される。
【００４５】
硬質カバー部材４２は、それぞれ上下方向に延在し、左右に本実施例では４つ並設することで陳列室カバー４１を構成する。当該硬質カバー部材４２は、上下方向に延在して構成される本体４３と、当該本体４３の上端に設けられる上部固定部材４４と、本体４３の下端に設けられる下部構成部材４５とから構成される。
【００４６】
本体４３は、内部を透視可能とする硬質合成樹脂の硬質壁により形成されており、断面略コ字状を呈すると共に、前壁４３Ａ上端には、所定寸法だけ陳列室８側に延在する上壁４３Ｂが形成される。また、この本体４３の前壁４３Ａには、上下に渡って開口する商品取出口４６が形成される。
【００４７】
この商品取出口４６は、上記実施例における商品取出口３５と同様に、当該硬質カバー部材４２がオープンショーケース４０の前面開口に設けられた際に、棚装置９に陳列される商品を取出可能とするための開口である。係る実施例においても、商品取出口４６の幅寸法、オープンショーケース４０に陳列される商品の幅寸法が例えば４０ｍｍ程度である場合には、商品を取り出す手指の幅寸法、例えば２０ｍｍを考慮した６０ｍｍ程度であるものとする。
【００４８】
また、この商品取出口４６は、当該陳列室カバー４１が陳列室８の前面開口に取り付けられた際に、上端が前面開口の上端よりも下側に位置するものとし、また、下端が前面開口の下端よりも上側に位置するように構成されている。特に、本実施例では、商品取出口４６の下端は、陳列室８内に架設される下から二番目の棚装置９よりも下側であって、最下段の棚装置９に陳列される商品を取出可能とされる所定の高さとなるように形成されているものとする。これにより、商品取出口４６の下側に位置する本体４３により、陳列室８下部の空気が漏洩することを抑制する冷気受け部４７が構成される。
【００４９】
本体４３は、図１５に示すように、少なくとも商品取出口４６の左右に位置する前壁４３Ａには、中空の断熱空間４３Ｃが上下に渡って形成されている。尚、前壁４３Ａの商品取出口４６の端面は、所定の曲率にて形成された湾曲形状とされ、陳列室８内の商品の取出の際に、陳列室カバー４２に手指が接触した場合であっても、怪我をし難い構成とされている。
【００５０】
また、本実施例における上部固定部材４４は、本体４３上端に上壁４３Ｂと側壁４３Ｄとにより形成される隅角部に取り付けられる断面略Ｌ字状に折曲形成された金属製の板状部材である。当該上部固定部材４４の前端には、上方に開口する切欠４４Ａが形成されている。当該切欠４４Ａは、図１６に示されるように断熱仕切壁１２Ａ下端と係合可能な形状とされているものとする。また、この上部固定部材４４の側壁には、上下に延在する長孔４４Ｂが形成されている。係る長孔４４Ｂは、本体４３の側壁４３Ｄ上部に形成される図示しない取付孔と重合させることにより、ネジ４８によって隣接する硬質カバー部材４２に取り付けられる上部固定部材４４と共に本体４３を共締めにて固定するものである。
【００５１】
他方、本実施例における下部構成部材４５は、同じく金属製材料にて構成されており、下端は、陳列室８の前面開口下縁に形成される冷気吸込口１４に挿入固定可能な形状に切欠形成されているものとする。
【００５２】
係る構成により、本実施例では、各硬質カバー部材４２の下端を構成する下部構成部材４５を陳列室８の前面開口下縁に形成される冷気吸込口１４に挿入し、硬質カバー部材４２の上端に設けられる上部固定部材４４の切欠４４Ａを断熱仕切壁１２Ａ下端に係合させる。その後、商品取出口４６から手指を挿入し、陳列室８側からネジ４７によって当該上部固定部材４４を、本体４３の側壁４３Ｄと、隣接する硬質カバー部材４２の本体４３と、当該本体４３側に設けられる上部固定部材４４、又は、オープンショーケース４０を構成する側板３と共締めにより固定する。
【００５３】
そして、本実施例では、上下方向に延在して構成される４つの各硬質カバー部材４２を並設することにより、陳列室８の前面開口を閉塞する。尚、各硬質カバー部材４２は、上述したように、各上部固定部材４４によって連結し、各硬質カバー部材４２を安定して陳列室８の前面開口に固定するものとする。
【００５４】
係る構成により、当該オープンショーケース４０内を冷蔵温度にて使用する場合には、上記実施例と同様に、制御装置１１により冷却運転が行われ、送風機１８が運転されていることにより、冷気吐出口１３から陳列室８の開口下縁の冷気吸込口１３に向けて吐出される。これにより、陳列室８の開口には冷気によるエアーカーテンが形成されると共に、冷気の一部は陳列室８内を循環して当該陳列室内を所定の温度に冷却する。
【００５５】
このとき、冷気吐出口１３から吹き出されるエアーカーテンの外側に沿って陳列室カバー４１が設けられているため、陳列室カバー４１により、人の往来や店舗内の空調機器からの風による外乱によってエアーカーテンが乱され、冷却効率が低下する不都合を抑制することができる。
【００５６】
また、エアーカーテンは、陳列室カバー４１、即ち、陳列室８の開口上縁から下縁に渡って設けられる上下に延在する各硬質カバー部材４１の後面に沿って流下するため、エアーカーテンを上端から下端に渡って保護することが可能となり、エアーカーテンの整流効果を向上することができ、これによっても、陳列室８内の冷却効率の向上を図ることができる。
【００５７】
また、陳列室カバー４１には、商品取出口４６が設けられているため、エアーカーテンを保護する陳列室カバー４１が取り付けられた状態で、陳列室８内の棚装置９に陳列される商品を容易に取り出すことができると共に、従来のオープンショーケースに比して陳列室８内の冷気の漏洩及び外気の流入を抑制することができるようになる。
【００５８】
そのため、商品の取り出しやすさを維持しつつ、陳列室８内の冷却効率の向上を図ることができ、陳列室８内の冷却不足を是正しつつ、省エネ効果を発揮することができ、ランニングコストの低減を図ることができるようになる。
【００５９】
特に、本実施例における陳列室カバー４１は、商品取出口４６の上端が、陳列室８の前面開口上縁より下方に位置するように構成されているため、開口上縁からのエアーカーテンの流路を陳列室カバー４１により閉塞することができ、エアーカーテンの整流効果をより一層向上させることができる。
【００６０】
また、商品取出口４６の下端は、陳列室８の前面開口下縁より上方に位置し、冷気受け部４７が形成されていることから、開口下縁付近のエアーカーテンの流路を陳列室カバー４１により閉塞することができ、エアーカーテンの整流効果及び、冷気の漏洩抑止効果をより一層向上させることができる。
【００６１】
また、本実施例における陳列室カバー４１も上記実施例と同様に、商品取出口４６以外の部分は陳列室８内を透視可能な硬質壁とされる本体４３にて構成されているため、陳列室８内を容易に視認することができ、陳列効果を損なう不都合を抑制することができる。商品の取出は、商品取出口４６から行うことができるため、陳列室カバー４１に触れることなく、商品を取り出すことができ、衛生性が向上される。また、商品の取出の際に、商品や顧客等の手指が陳列室カバー４１に接触した場合であっても、従来の軟質性の暖簾に比べて汚れが染み込み透明性が損なわれる不都合を抑制することができる。汚れが付着した場合であっても、容易に汚れを拭き取ることができ、衛生性を向上させることができる。
【００６２】
更に、陳列室カバー４１は、上下方向に延在し、左右に併設された複数（４つ）の硬質カバー部材４２から構成されるため、硬質カバー部材の使用数を変更することで、陳列室８の開口幅の異なるショーケースに対応することができるようになり、汎用性が向上する。そのため、部品コストの低減を図ることができ、生産コストの高騰を抑制することができる。
【００６３】
また、陳列室カバー４１を構成する各硬質カバー部材４２の前面には、中空の断熱空間４３Ｃが形成されているので、陳列室８内の冷却効率の向上を図ることができるようになり、ランニングコストの低減を実現することができる。特に、本実施例にように陳列室８内を冷却して使用する場合においては、陳列室カバー４１の本体４３内に断熱空間４３Ｃを構成することで、結露の発生を防止することができ、本体４３が曇ってしまうことによる陳列効果の低下を回避することができ、商品の視認性を向上することができる。
【００６４】
他方、当該オープンショーケース４０内を温蔵温度にて使用する場合には、制御装置１１により加温運転を行う。これにより、陳列室８内が所定温度に加温される。係る場合においても、陳列室カバー４１には、商品取出口４６が設けられているため、陳列室カバー４１が取り付けられた状態で、陳列室８内の棚装置９に陳列される商品を容易に取り出すことができると共に、従来のオープンショーケースに比して陳列室８内の温められた空気の漏洩及び外気の流入を抑制することができるようになる。
【００６５】
そのため、商品の取り出しやすさを維持しつつ、陳列室８内の加温効率の向上を図ることができ、陳列室８内の加温不足を是正しつつ、省エネ効果を発揮することができ、ランニングコストの低減を図ることができるようになる。
【００６６】
特に、陳列室カバー４１は、商品取出口４６の上端が、陳列室８の前面開口上縁より下方に位置するように構成されているため、開口上縁から陳列室８内の温められた空気が漏洩する不都合を抑制することができ、より一層陳列室８内の加温効率を向上させることができる。
【００６７】
また、当該実施例においても、上記実施例と同様に、陳列室カバー４１を構成する硬質カバー部材４２の断熱空間４３Ｃに、ＬＥＤや蛍光灯などの照明装置を配設しても良いものとする。この場合においても同様に商品のほぼ正面から陳列室８内に陳列される商品を照明することができ、陳列効果を向上させることができる。
【００６８】
また、当該陳列室カバー４１は、陳列室８の開口に対し、脱着自在に取り付けられるものであるため、必要に応じて陳列室カバー４１を陳列室８の開口に取り付けることができ、また、既存のオープンショーケースであっても取り付けることが可能である。
【００６９】
更に、当該実施例においても、上記実施例と同様に、陳列室カバー４１を構成する硬質カバー部材４２が、陳列室８の前面開口に対し、嵌め込み式で固定されるものに限定されるものではなく、陳列室８の開口に対し、回動自在に開放可能に構成されていても良いものとする。これにより、上記実施例と同様に、陳列室８の開口に対し、陳列室カバー４１を観音開き式に設けることが可能となり、当該陳列室カバー４１を開放することで、陳列室８内の棚装置９を前方に引き出すことが可能となる。そのため、当該陳列室カバー４１を設けた場合であっても、容易に棚装置９を引き出して、棚上の商品の補充作業を行うことが可能となる。
【実施例３】
【００７０】
次に、図１８乃至図２４を参照して、陳列室カバー５１を備えた第３の実施例のオープンショーケース５０について説明する。図１８はオープンショーケース５０の斜視図、図１９は図１８のオープンショーケース５０の正面図、図２０は図１８のオープンショーケース５０の横断平面図、図２１は硬質カバー部材５２の斜視図、図２２は硬質カバー部材５２の平断面図、図２３は陳列室カバー５１が取り付けられた状態のオープンショーケース５０の上部拡大図、図２４は陳列室カバー５１が取り付けられた状態のオープンショーケース５０の下部拡大図を示している。尚、各図において、上記第１の実施例と同様の符号が付されているものについては、上記実施例におけるものと同様の効果を奏するものとする。また、当該第３の実施例におけるオープンショーケース５０は、陳列室カバー５１以外の構成については、略同様の構成とするため、説明を省略する。
【００７１】
当該実施例における陳列室８の前面に構成される前面開口には、開口下部に位置して陳列室カバー５１が取り付けられる。この陳列室カバー５１は、複数、かかる実施例では４つの硬質カバー部材５２から構成される。
【００７２】
硬質カバー部材５２は、それぞれ上下方向に延在し、左右に本実施例では４つ並設することで陳列室カバー５１を構成する。当該硬質カバー部材５２は、上下方向に延在して構成される本体５３と、当該本体５３の下端に設けられる下部構成部材５５とから構成される。
【００７３】
本体５３は、内部を透視可能とする硬質合成樹脂の硬質壁により形成されており、断面略コ字状を呈すると共に、当該本体５３は、陳列室８の前面開口の下縁から、当該開口の中程、本実施例では、下から４段目に位置する棚装置９の高さにまで上下に延在する。この本体５３の側壁後端には、内方に向けて略直角に折曲されたフランジ５３Ｃが形成されている。そして、この本体５３の前壁５３Ａには、上下に渡って開口する商品取出口５６が形成される。
【００７４】
この商品取出口５６は、上記実施例における商品取出口３５と同様に、当該硬質カバー部材５２がオープンショーケース５０の前面開口に設けられた際に、棚装置９に陳列される商品を取出可能とするための開口である。係る実施例においても、商品取出口５６の幅寸法、オープンショーケース５０に陳列される商品の幅寸法が例  BR>ヲば４０ｍｍ程度である場合には、商品を取り出す手指の幅寸法、例えば２０ｍｍを考慮した６０ｍｍ程度であるものとする。
【００７５】
また、この商品取出口５６は、上端が上方に開口して形成されると共に、下端が陳列室８の前面開口の下端よりも上側に位置するように構成されている。特に、本実施例では、商品取出口５６の下端は、陳列室８内に架設される下から二番目の棚装置９よりも下側であって、最下段の棚装置９に陳列される商品を取出可能とされる所定の高さとなるように形成されているものとする。これにより、商品取出口５６の下側に位置する本体５３により、陳列室８下部の空気が漏洩することを抑制する冷気受け部５７が構成される。
【００７６】
本体５３は、図２２に示すように、少なくとも商品取出口５６の左右に位置する前壁５３Ａには、中空の断熱空間５３Ｂが上下に渡って形成されている。尚、前壁５３Ｂの商品取出口５６の端面は、所定の曲率にて形成された湾曲形状とされ、陳列室８内の商品の取出の際に、陳列室カバー５２に手指が接触した場合であっても、怪我をし難い構成とされている。
【００７７】
また、本実施例における下部構成部材５５は、金属製材料にて構成されており、下端は、陳列室８の前面開口下縁に形成される冷気吸込口１４に挿入固定可能な形状に切欠形成されているものとする。
【００７８】
また、当該硬質カバー部材５２は、両端に着脱自在に取り付けられる固定部材５８、５８にて陳列室８内に架設される棚装置９の前端に、本実施例では、下から３段目の棚装置９の前端に固定される。当該固定部材５８は、鋼板製材料にて構成され、後部上縁には、図２３に示すように前方に開口する切欠５８Ａが形成される。この切欠５８Ａは、陳列室８内に架設される棚装置９の棚板９Ａの前端が下側方向に折り込まれるように構成される端面に係合可能に構成されているものとする。
【００７９】
また、この硬質カバー部材５２は、陳列室８の前面開口下部に４つ並設して構成されるものであり、当該固定部材５８は、隣接する硬質カバー部材５２との連結部材としても用いられる。即ち、前記固定部材５８の前部には、図２２に示されるように、隣接する硬質カバー部材５２の隣接部分、即ち、両フランジ５３Ｃ、５３Ｃを他方の硬質カバー部材５２を棚装置９に固定するための固定部材５８と共に、後方から挟み込んで固定するための保持部５８Ｂが形成される。
【００８０】
この保持部５８Ｂは、隣接する硬質カバー部材５２と当接する側壁側に開口する断面略コ字状を呈している。そして、固定部材５８の後部には、図示しない係合孔が形成されており、他方の固定部材５８と相向かい合わせに配設し、両者の係合孔を重合させ、化粧ビス５９にて固定可能とされる。尚、当該硬質カバー部材５２の側壁が断熱壁２の内壁に当接している場合には、当該断熱壁２の内壁に固定部材５８により、化粧ビス５９にて固定するものとする。
【００８１】
これにより、固定部材５８の切欠５８Ａを棚装置９の棚板９Ａに結合させ、隣接する硬質カバー部材５２を取り付けるための固定部材５８と相向かい合わせに配置し、これら固定部材５８の保持部５８Ｂによって、各硬質カバー部材５２が当接しているフランジ５３Ｃ、５３Ｃを挟持し、化粧ビス５９によって、各硬質カバー部材５２を連結する。従って、各硬質カバー部材５２を容易に陳列室８に架設される棚装置９に固定することができると共に、隣接する硬質カバー部材５２に安定して連結することができ、断熱壁２の内壁に安定して固定することができる。
【００８２】
尚、当該固定部材５８は、予め各硬質カバー部材５２に固定されるものではないため、当該硬質カバー部材５２の取付時において、陳列室８に架設される棚装置９の高さに応じて固定部材５８の取付高さを決定することが可能である。そのため、陳列室８内に架設される棚装置９の高さ位置が変更された場合であっても、容易に硬質カバー部材５２を固定することが可能となる。
【００８３】
係る構成により、本実施例では、各硬質カバー部材５２の下端を構成する下部構成部材５５を陳列室８の前面開口下縁に形成される冷気吸込口１４に挿入し、硬質カバー部材５２を各固定部材５８によって、上述した如く陳列室８内に架設される棚装置９及び隣接する硬質カバー部材５２、更には、断熱壁２の内壁に固定する。
【００８４】
係る構成により、当該オープンショーケース５０内を冷蔵温度にて使用する場合には、上記実施例と同様に、制御装置１１により冷却運転が行われ、送風機１８が運転されていることにより、冷気吐出口１３から陳列室８の開口下縁の冷気吸込口１３に向けて吐出される。これにより、陳列室８の開口には冷気によるエアーカーテンが形成されると共に、冷気の一部は陳列室８内を循環して当該陳列室内を所定の温度に冷却する。
【００８５】
このとき、冷気吐出口１３から吹き出されるエアーカーテンの外側に位置して陳列室８の前面開口下部、本実施例では、下から４段目の棚装置９の位置まで陳列室カバー５１が設けられているため、陳列室カバー５１により、人の往来や店舗内の空調機器からの風による外乱によってエアーカーテンが乱され、冷却効率が低下する不都合を抑制することができる。
【００８６】
また、エアーカーテンは、陳列室カバー５１、即ち、上下に延在する各硬質カバー部材５１の後面に沿って流下するため、開口下部に位置するエアーカーテンを保護することが可能となり、エアーカーテンの整流効果を向上することができ、これによっても、陳列室８内の冷却効率の向上を図ることができる。
【００８７】
また、陳列室カバー５１には、商品取出口５６が設けられているため、エアーカーテンを保護する陳列室カバー５１が取り付けられた状態で、陳列室８の下部に位置する棚装置９に陳列される商品を容易に取り出すことができると共に、従来のオープンショーケースに比して陳列室８内の冷気の漏洩及び外気の流入を抑制することができるようになる。
【００８８】
そのため、商品の取り出しやすさを維持しつつ、陳列室８内の冷却効率の向上を図ることができ、陳列室８内の冷却不足を是正しつつ、省エネ効果を発揮することができ、ランニングコストの低減を図ることができるようになる。
【００８９】
特に、本実施例における陳列室カバー５１は、陳列室８の開口下縁から所定の高さに渡って立設されているので、陳列室８の開口下部における冷却された空気の漏洩を抑制することができる。また、係る構成では、陳列室８の開口上部には、陳列室カバー５１が設けられていないので、商品取出口５６の取出幅寸法よりも大きな商品であっても、商品を取り出すことができ、一台のショーケースにおいて陳列される商品を多様化することができる。これにより、省エネを実現しながら、利便性の向上を図ることができるようになる。
【００９０】
また、商品取出口４６の下端は、陳列室８の前面開口下縁より上方に位置し、冷気受け部５７が形成されていることから、開口下縁付近のエアーカーテンの流路を陳列室カバー５１により閉塞することができ、エアーカーテンの整流効果及び、冷気の漏洩抑止効果をより一層向上させることができる。
【００９１】
また、本実施例における陳列室カバー５１も上記実施例と同様に、商品取出口５６以外の部分は陳列室８内を透視可能な硬質壁とされる本体５３にて構成されているため、陳列室８内を容易に視認することができ、陳列効果を損なう不都合を抑制することができる。商品の取出は、商品取出口５６から行うことができるため、陳列室カバー５１に触れることなく、商品を取り出すことができ、衛生性が向上される。また、商品の取出の際に、商品や顧客等の手指が陳列室カバー５１に接触した場合であっても、従来の軟質性の暖簾に比べて汚れが染み込み透明性が損なわれる不都合を抑制することができる。汚れが付着した場合であっても、容易に汚れを拭き取ることができ、衛生性を向上させることができる。
【００９２】
更に、陳列室カバー５１は、上下方向に延在し、左右に併設された複数（４つ）の硬質カバー部材５２から構成されるため、硬質カバー部材の使用数を変更することで、陳列室８の開口幅の異なるショーケースに対応することができるようになり、汎用性が向上する。そのため、部品コストの低減を図ることができ、生産コストの高騰を抑制することができる。
【００９３】
また、陳列室カバー５１を構成する各硬質カバー部材５２の前面には、中空の断熱空間５３Ｂが形成されているので、陳列室８内の冷却効率の向上を図ることができるようになり、ランニングコストの低減を実現することができる。特に、本実施例にように陳列室８内を冷却して使用する場合においては、陳列室カバー５１の本体５３内に断熱空間５３Ｂを構成することで、結露の発生を防止することができ、本体５３が曇ってしまうことによる陳列効果の低下を回避することができ、商品の視認性を向上することができる。
【００９４】
他方、当該オープンショーケース５０内を温蔵温度にて使用する場合には、制御装置１１により加温運転を行う。これにより、陳列室８内が所定温度に加温される。係る場合においても、陳列室カバー５１には、商品取出口５６が設けられているため、陳列室カバー５１が取り付けられた状態で、陳列室８内の棚装置９に陳列される商品を容易に取り出すことができると共に、従来のオープンショーケースに比して陳列室８内の温められた空気の漏洩及び外気の流入を抑制することができるようになる。
【００９５】
そのため、商品の取り出しやすさを維持しつつ、陳列室８内の加温効率の向上を図ることができ、陳列室８内の加温不足を是正しつつ、省エネ効果を発揮することができ、ランニングコストの低減を図ることができるようになる。
【００９６】
また、当該実施例においても、上記実施例と同様に、陳列室カバー５１を構成する硬質カバー部材５２の断熱空間５３Ｂに、ＬＥＤや蛍光灯などの照明装置を配設しても良いものとする。この場合においても同様に商品のほぼ正面から陳列室８内に陳列される商品を照明することができ、陳列効果を向上させることができる。
【００９７】
また、当該陳列室カバー５１は、陳列室８の開口に対し、脱着自在に取り付けられるものであるため、必要に応じて陳列室カバー５１を陳列室８の開口に取り付けることができ、また、既存のオープンショーケースであっても取り付けることが可能である。
【００９８】
更に、当該実施例においても、上記実施例と同様に、陳列室カバー５１を構成する硬質カバー部材５２が、陳列室８の棚装置９に対し固定部材５８により固定されるものに限定されるものではなく、陳列室８の開口に対し、回動自在に開放可能に構成されていても良いものとする。これにより、上記実施例と同様に、陳列室８の開口に対し、陳列室カバー５１を観音開き式に設けることが可能となり、当該陳列室カバー５１を開放することで、陳列室８内の陳列室カバー５１の後方に位置する棚装置９を前方に引き出すことが可能となる。そのため、当該陳列室カバー５１を設けた場合であっても、容易に棚装置９を引き出して、棚上の商品の補充作業を行うことが可能となる。
【図面の簡単な説明】
【００９９】
【図１】本発明を適用したオープンショーケースの斜視図である。（実施例１）
【図２】図１のオープンショーケースの正面図である。（実施例１）
【図３】図１のオープンショーケースの縦断側面図である。（実施例１）
【図４】図１のオープンショーケースの横断平面図である。（実施例１）
【図５】硬質カバー部材の斜視図である。（実施例１）
【図６】図５の硬質カバー部材の平断面図である。（実施例１）
【図７】陳列室カバーが取り付けられた状態のオープンショーケースの上部拡大図である。（実施例１）
【図８】陳列室カバーが取り付けられた状態のオープンショーケースの下部拡大図である。（実施例１）
【図９】照明装置を備えた硬質カバー部材の平断面図である。（実施例１）
【図１０】陳列室カバーを開放した状態のオープンショーケースの正面図である（実施例１）
【図１１】本発明を適用したオープンショーケースの斜視図である。（実施例２）
【図１２】図１１のオープンショーケースの正面図である。（実施例２）
【図１３】図１１のオープンショーケースの横断平面図である。（実施例２）
【図１４】硬質カバー部材の斜視図である。（実施例２）
【図１５】図１４の硬質カバー部材の平断面図である。（実施例２）
【図１６】陳列室カバーが取り付けられた状態のオープンショーケースの上部拡大図である。（実施例２）
【図１７】陳列室カバーが取り付けられた状態のオープンショーケースの下部拡大図である。（実施例２）
【図１８】本発明を適用したオープンショーケースの斜視図である。（実施例３）
【図１９】図１８のオープンショーケースの正面図である。（実施例３）
【図２０】図１８のオープンショーケースの横断平面図である。（実施例３）
【図２１】硬質カバー部材の斜視図である。（実施例３）
【図２２】図２１の硬質カバー部材の平断面図である。（実施例３）
【図２３】陳列室カバーが取り付けられた状態のオープンショーケースの上部拡大図である。（実施例３）
【図２４】陳列室カバーが取り付けられた状態のオープンショーケースの下部拡大図である。（実施例３）
【符号の説明】
【０１００】
１、４０、５０  オープンショーケース
２    断熱壁
２Ａ  前壁
４    本体
６    仕切板
７    ダクト
８    陳列室
９    棚装置
９Ａ  棚板
１０  電気ヒータ
１１  制御装置
１２Ａ  断熱仕切壁
１３  冷気吐出口
１４  冷気吸込口
１７  冷却器
１８  送風機
３０、４１、５１  陳列室カバー
３１、４２、５２  硬質カバー部材
３２、４３、５３  本体
３２Ａ、４３Ａ  前壁
３２Ｂ、４３Ｃ  断熱空間
３３  上部構成部材
３３Ａ  切欠
３３Ｂ  ネジ孔
３４、４５、５５  下部構成部材
３５、４６、５６  商品取出口
３６  化粧ネジ
４３Ｂ  上壁
４３Ｄ  側壁
４４  上部固定部材
４４Ａ  切欠
４４Ｂ  長孔
４７、５７  冷気受け部
４８  ネジ
５３Ｃ  フランジ
５８    固定部材
５８Ａ  切欠
５８Ｂ  保持部
５９  化粧ビス
【図１】
2011189193.tif 000003
【図２】
2011189193.tif 000004
【図３】
2011189193.tif 000005
【図４】
2011189193.tif 000006
【図５】
2011189193.tif 000007
【図６】
2011189193.tif 000008
【図７】
2011189193.tif 000009
【図８】
2011189193.tif 000010
【図９】
2011189193.tif 000011
【図１０】
2011189193.tif 000012
【図１１】
2011189193.tif 000013
【図１２】
2011189193.tif 000014
【図１３】
2011189193.tif 000015
【図１４】
2011189193.tif 000016
【図１５】
2011189193.tif 000017
【図１６】
2011189193.tif 000018
【図１７】
2011189193.tif 000019
【図１８】
2011189193.tif 000020
【図１９】
2011189193.tif 000021
【図２０】
2011189193.tif 000022
【図２１】
2011189193.tif 000023
【図２２】
2011189193.tif 000024
【図２３】
2011189193.tif 000025
【図２４】
2011189193.tif 000026